(57)【要約】　　　（修正有）【課題】踵部に対する衝撃吸収性が高く、かつ意匠性に優れ、自分の靴を容易に探しだすことができる靴の中敷きを提供する。【解決手段】靴の中敷き１の踵部に開口部５を穿設し、同開口部に透明な軟質エラストマー板３ａを嵌設し、かつ透明な軟質エラストマー板の裏面に文字、図形、模様等の目視情報４aを設けて構成し、前記中敷きを装着した靴の履用時には踵に対する衝撃が和らげられ、また非履用時には表側から目視情報が透視できるようする。【選択図】　　図１
0003100166.tif 000002
【実用新案登録請求の範囲】
【請求項１】
　靴の中敷きの踵部に開口部を穿設し、同開口部に透明な軟質エラストマー板を嵌設し、かつ透明な軟質エラストマー板の裏面に文字、図形、模様等の目視情報を設けてなり、前記中敷きを装着した靴の履用時には踵に対する衝撃が和らげられ、また非履用時には表側から目視情報が透視できるようになしたことを特徴とする靴の中敷き。
【請求項２】
　靴の中敷きの踵部に凹部を設け、同凹部に透明な軟質エラストマー板を配設し、かつ透明な軟質エラストマー板の裏面に文字、図形、模様等の目視情報を設けてなり、前記中敷きを装着した靴の履用時には踵に対する衝撃が和らげられ、また非履用時には表側から目視情報が透視できるようになしたことを特徴とする靴の中敷き。
【請求項３】
　靴の中敷きの踵部の面上に、透明な軟質エラストマー板を貼着し、かつ透明な軟質エラストマー板の裏面に文字、図形、模様等の目視情報を設けてなり、前記中敷きを装着した靴の履用時には踵に対する衝撃が和らげられ、また非履用時には表側から目視情報が透視できるようになしたことを特徴とする靴の中敷き。
【請求項４】
　前記中敷きが防臭効果を有するものであることを特徴とする請求項１〜３のいずれか１項に記載の靴の中敷き。
【請求項５】
　前記中敷きが足裏のツボを刺激する凸状部を形成してなるものであることを特徴とする請求項１〜４のいずれか１項に記載の靴の中敷き。
【請求項６】
　前記軟質エラストマー板が着色されてなることを特徴とする請求項１〜５のいずれか１項に記載の靴の中敷き。
【請求項７】
　前記軟質エラストマー板が蛍光物質、夜光物質等の発光性物質を含むものであることを特徴とする請求項１〜６のいずれか１項に記載の靴の中敷き。
【請求項８】
　前記軟質エラストマー板を構成する軟質エラストマーが、ポリオールと有機ポリイソシアネートとを化学反応させて得られるポリウレタン樹脂で構成されたもので、ポリオールの主成分が官能基数２．４〜３．０、分子量３，０００〜６，０００で、前記ポリオールの一部に２級若しくは３級の高級モノアルコールを粘着付与剤として用いた、Ｈｓ硬度が３０〜３で弾性率が低く、低応力で変形し、変形による残留応力が少ない変形追従性に優れたものであることを特徴とする前記請求項１〜７のいずれか１項に記載の靴の中敷き。
【請求項９】
　前記軟質エラストマー板を構成する軟質エラストマーが、官能基数２．３〜４．０のポリオキシポリプロピレンポリオールとポリイソシアネート化合物との反応から得られる末端に活性イソシアネート基を有するプレポリマーに、β−メチル−δ−バレロラクトンを開環重合して得られるポリオールオリゴマーを架橋剤として反応させたポリウレタン樹脂から構成されたもので、Ｈｓ硬度６０〜３、引張伸び率４００〜１，３００％の変形追従性に優れた特性を示すものであり、硬度が低く、すなわち弾性率が低く、低応力で変形し、変形による残留応力は少なくなり、また伸び率が大きいため変形追従性、変位耐久性に優れたものであることを特徴とする前記請求項１〜７のいずれか１項に記載の靴の中敷き。
【考案の詳細な説明】
【技術分野】
【０００１】
　本考案は、靴内に装着して用いられる靴の中敷きに関するものである。
【背景技術】
【０００２】
　従来より、靴の内部は、通気性が悪く蒸れやすく、不衛生になりやすいため、悪臭やカビが発生したり、また、水虫の要因になったりしている。
　これらを防止するために、防臭効果、防カビ効果あるいは抗菌効果を有する中敷きが靴内に挿入・使用されている。
　また、近年は、足裏のツボに刺激を与えることにより、疲労の低減や回復が図れるとして、中敷き面上に複数の凸部等が形成された指圧効果を有する中敷きが提供されている。
　その他、歩行や運動時の衝撃を緩和するために、衝撃緩和効果を有する中敷きなど、様々な用途に合わせて、種々の中敷きが提供されている。
【０００３】
　一方、靴の内部はどれも何の変哲もない一様な形状・構造ないし、色彩、模様であり、多数の靴が並んでいる場合などには、自己の所有の靴を見分けにくく、探しにくく、履き間違いが多発する。
　そのために、靴内に名前を記載したり、番号札を付けるなどして、自分の履き物を探しやすく、かつ履き間違いをしないようにしている。
【特許文献１】特願２０００−８１１３
【考案の開示】
【考案が解決しようとする課題】
【０００４】
　上記のように、様々な用途のために数々の中敷きがあり、実用性の高いものもあるが、靴の中というあまり目立たない場所に用いられるためか、意匠性の高いものは少ない。
　そこで、女性や若者などは靴を脱いだ時に体裁が悪いため、中敷きを使用しないことが多い。
　また、自分の靴を間違えないようにするために名前を記載したり、印を付けておく場合、一般的には靴のあまり目立たない個所に名前等を記載しておくため、沢山の靴が並んだ中から自分の靴を探すのは大変苦労するものであった。
【課題を解決するための手段】
【０００５】
　本考案は、上記問題点を解決するものであり、下記構成の中敷きを提供するものである。
（１）靴の中敷きの踵部に開口部を穿設し、同開口部に透明な軟質エラストマー板を嵌設し、かつ透明な軟質エラストマー板の裏面に文字、図形、模様等の目視情報を設けてなり、前記中敷きを装着した靴の履用時には踵に対する衝撃が和らげられ、また非履用時には表側から目視情報が透視できるようになしたことを特徴とする靴の中敷き。
（２）靴の中敷きの踵部に凹部を設け、同凹部に透明な軟質エラストマー板を配設し、かつ透明な軟質エラストマー板の裏面に文字、図形、模様等の目視情報を設けてなり、前記中敷きを装着した靴の履用時には踵に対する衝撃が和らげられ、また非履用時には表側から目視情報が透視できるようになしたことを特徴とする靴の中敷き。
（３）靴の中敷きの踵部の面上に、透明な軟質エラストマー板を貼着し、かつ透明な軟質エラストマー板の裏面に文字、図形、模様等の目視情報を設けてなり、前記中敷きを装着した靴の履用時には踵に対する衝撃が和らげられ、また非履用時には表側から目視情報が透視できるようになしたことを特徴とする靴の中敷き。
【０００６】
（４）前記中敷きが防臭効果を有するものであることを特徴とする前記（１）〜（３）のいずれか１項に記載の靴の中敷き。
（５）前記中敷きが足裏のツボを刺激する凸状部を形成してなるものであることを特徴とする前記（１）〜（４）のいずれか１項に記載の靴の中敷き。
（６）前記軟質エラストマー板が着色されてなることを特徴とする前記（１）〜（５）のいずれか１項に記載の靴の中敷き。
（７）前記軟質エラストマー板が蛍光物質、夜光物質等の発光性物質を含むものであることを特徴とする前記（１）〜（６）のいずれか１項に記載の靴の中敷き。
（８）前記軟質エラストマー板を構成する軟質エラストマーが、ポリオールと有機ポリイソシアネートとを化学反応させて得られるポリウレタン樹脂で構成されたもので、ポリオールの主成分が官能基数２．４〜３．０、分子量３，０００〜６，０００で、前記ポリオールの一部に２級若しくは３級の高級モノアルコールを粘着付与剤として用いた、Ｈｓ硬度が３０〜３で弾性率が低く、低応力で変形し、変形による残留応力が少ない変形追従性に優れたものであることを特徴とする前記（１）〜（７）のいずれか１項に記載の靴の中敷き。
（９）前記軟質エラストマー板を構成する軟質エラストマーが、官能基数２．３〜４．０のポリオキシポリプロピレンポリオールとポリイソシアネート化合物との反応から得られる末端に活性イソシアネート基を有するプレポリマーに、β−メチル−δ−バレロラクトンを開環重合して得られるポリオールオリゴマーを架橋剤として反応させたポリウレタン樹脂から構成されたもので、Ｈｓ硬度６０〜３、引張伸び率４００〜１，３００％の変形追従性に優れた特性を示すものであり、硬度が低く、すなわち弾性率が低く、低応力で変形し、変形による残留応力は少なくなり、また伸び率が大きいため変形追従性、変位耐久性に優れたものであることを特徴とする前記（１）〜（７）のいずれか１項に記載の靴の中敷き。
【考案の効果】
【０００７】
　本考案は、靴の中敷きの踵部に開口部を穿設し、同開口部に透明な軟質エラストマー板を嵌設、あるいは、靴の中敷きの踵部に凹部を設け、同凹部に透明な軟質エラストマー板を配設、又は、靴の中敷きの踵部の面上に、透明な軟質エラストマー板を貼着して構成されるので、踵部に対する衝撃吸収性の高い、疲労の少ない中敷きを提供することができる。
　また、通常歩行時においては、まず足の踵部に力が掛かり、次いでつま先部に力が掛かって行くが、本考案により踵部に衝撃吸収性の良い軟質エラストマー板を配置することによって、あたかも地面上を素足で歩くがごとき良感触が得られる。
　さらに、本発明の靴の中敷きは、透明な軟質エラストマー板の裏面に文字、図形、模様等の目視情報を設けて構成されるので、意匠性が高く、年齢や性別に関係なく、誰でも気軽におしゃれに使用でき、その上、前記中敷きを装着した靴の非履用時には表側から目視情報が透視できるので、自分の靴を間違えることなく、たくさんの靴が並んだ中からでも容易に自分の靴を探しだすことができる。
【考案を実施するための最良の形態】
【０００８】
　本考案の実施の形態を図に基づいて説明する。
　図１は本考案の実施例１の正面図及び断面図、図２は実施例１の説明断面図であり、図３は本考案の実施例２の正面図及び断面図、図４は実施例２の説明断面図、図５は本考案の実施例３の正面図及び断面図、図６は実施例３の説明断面図である。そして、図７は本考案の実施例４の正面図及び断面図、図８は実施例４の説明断面図である。
　図中、１ａ、１ｂ、１ｃ、１ｄは靴の中敷き、２は基材シート、３ａ、３ｂ、３ｃ、３ｄは軟質エラストマー板、４ａ、４ｂ、４ｃ、４ｄは目視情報、５は開口部、６は凹部、７は保護シート、８は開口部、９は凸状部である。
【０００９】
　本考案における靴の中敷き１（１ａ、１ｂ、１ｃ、１ｄ）は、靴等の履き物内に載置されて用いられるものであり、女性用、男性用等それぞれの靴の形状に適した形状で構成されるものである。
　また、本考案の靴の中敷き１は、靴内の全面に敷設する形状の他、踵側半分、つま先側半分等の靴内の一部に敷設する形状等、用途に合わせて構成される。
　なお、本考案に用いられる靴の中敷き１は、広く一般に普及している中敷きが備える効能、例えば、通気性や防臭・防菌効果を有したり、足裏のツボを刺激する凸状部を備えたり、衝撃を緩和するため複数層で構成されたり等の周知の技術である様々な効能を備えて構成されることも好ましい。
【００１０】
　また、本考案における靴の中敷き１（１ａ、１ｂ、１ｃ、１ｄ）に用いられる軟質エラストマー板３（３ａ、３ｂ、３ｃ、３ｄ）(これは、強い衝撃力を吸収するゴム状のもので巷間「ゲル」又は、「ジェル」などともいわれている。）は、その裏面に設けられた文字、図形、模様等の目視情報が透視できる程度の透明度を備えてなるものであり、透明、半透明で構成されるが、着色された半透明等で構成することにより更に高い意匠性を備えたものとなる。
　なお、前記軟質エラストマー板３に、蛍光物質、夜光物質等の発光性物質を含ませることにより、見た目におしゃれで、意匠性も高く、個性的なものとなるとともに、暗闇や薄暗い場所での自己の靴探しが容易となる。
【００１１】
　そして、軟質エラストマー板３は、歩行時や運動時の踵に対する衝撃が和らげられる程度の衝撃吸収性、弾力性を備えたもので構成される。
　足の踵部には、マラソンやランニングなどの運動時はもとより、歩行時にも衝撃があり負荷がかかるので、本発明の中敷き１は、軟質エラストマー板３を配置することにより、踵部に係る衝撃を吸収するものとなっている。
　前記軟質エラストマー板３を構成する軟質エラストマーとしては、ポリオールと有機ポリイソシアネートとを化学反応させて得られるポリウレタン樹脂であって、ポリオールの主成分が官能基数２．４〜３．０、分子量３，０００〜６，０００で、前記ポリオールの一部に２級若しくは３級の高級モノアルコールを粘着付与剤として用いた、Ｈｓ硬度が３０〜３で弾性率が低く、低応力で変形し、変形による残留応力が少ない変形追従性に優れたものなどが好ましい。
【００１２】
　また、前記軟質エラストマー板３を構成する軟質エラストマーは、官能基数２．３〜４．０のポリオキシポリプロピレンポリオールとポリイソシアネート化合物との反応から得られる末端に活性イソシアネート基を有するプレポリマーに、β−メチル−δ−バレロラクトンを開環重合して得られるポリオールオリゴマーを架橋剤として反応させたポリウレタン樹脂から構成されたもので、Ｈｓ硬度６０〜３、引張伸び率４００〜１，３００％の変形追従性に優れた特性を示すものであり、硬度が低く、すなわち弾性率が低く、低応力で変形し、変形による残留応力は少なくなり、また伸び率が大きいため変形追従性、変位耐久性に優れたものであることも好ましい。
【００１３】
　本考案において軟質エラストマー板３の裏面に設けられる目視情報４（４ａ、４ｂ、４ｃ、４ｄ）は、文字や図形、模様等、目視により自己の靴の識別が容易にできる内容が付与されたものであり、付与される情報としては、会社名や会社ロゴ、個人名、ニックネーム、商標名など、任意のものとすることにより、より認識度が高いものとなる。
　なお、目視情報４は、軟質エラストマー板３の裏面に設けられる際、例えば軟質エラストマー板３の裏面に目視情報４を付したシールを貼着することにより構成したり、また、基材シート２の踵部に同シールを貼着したり、あるいは基材シート２に直接目視情報４を印刷し、同印刷された目視情報４の上に軟質エラストマー板３を配置して構成することもできるが、本考案の中敷き１の非履用時に靴の上方から目視情報４を透視できる手段であれば、その方法は問わない。
【実施例１】
【００１４】
　本考案の靴の中敷き１の実施例１は、図１（本考案の実施例１の正面図及び断面図）及び図２（説明断面図）に示すように、
　靴の中敷き１ａを構成する基材シート２の踵部に開口部５を穿設し、同開口部５に透明な軟質エラストマー板３ａを嵌設し、かつ透明な軟質エラストマー板３ａの裏面に文字の目視情報４ａを設けて構成される。
　本考案の靴の中敷き１を構成する軟質エラストマー板３ａは、衝撃吸収性を備えた硬度の低い、変形追従性に優れた軟質エラストマーで構成されているので、前記実施例１のように構成される靴の中敷き１ａは、靴内に敷設され、その靴が履用される際に、踵に対する衝撃を和らげることができ、また非履用時には表側から目視情報４ａが透視できるものとなっている。
【実施例２】
【００１５】
　また、本考案の靴の中敷き１の実施例２は、図３（本考案の実施例２の正面図及び断面図）及び図４（説明断面図）に示すように、
　靴の中敷き１ｂを構成する基材シート２の踵部に凹部６を設け、同凹部６に透明な軟質エラストマー板３ｂを嵌設し、かつ透明な軟質エラストマー板３ｂの裏面に文字、図形、模様等の目視情報４ｂを設けて構成される。
　本考案の靴の中敷き１を構成する軟質エラストマー板３ｂは、衝撃吸収性を備えた硬度の低い、変形追従性に優れた軟質エラストマーで構成されているので、前記実施例２のように構成される靴の中敷き１ｂは、靴内に敷設され、その靴が履用される際に、踵に対する衝撃を和らげることができ、また非履用時には表側から目視情報４ｂが透視できるものとなっている。
　なお、実施例２においては、基材シート２に通気用の穴が穿設され、防臭、抗菌効果を有する中敷き１ｂとなっている。
【実施例３】
【００１６】
　そして、本考案の靴の中敷き１の実施例３は、図５（本考案の実施例３の正面図及び断面図）及び図６（説明断面図）に示すように、
　靴の中敷き１ｃを構成する基材シート２の踵部に、透明な軟質エラストマー板３ｃ配置し、かつ透明な軟質エラストマー板３ｃの裏面に文字、図形、模様等の目視情報４ｃを設けて構成される。
　なお、実施例３においては、基材シート２にも模様や、文字等が描かれており、軟質エラストマー板３ｃの裏面に備えられる目視情報４ｃは、前記基材シート２の模様や文字、色等に合わせて描かれ、全体に意匠性の高い中敷き１ｃを構成している。
【実施例４】
【００１７】
　さらに、本考案の靴の中敷き１の実施例４は、図７（本考案の実施例４の正面図及び断面図）及び図８（説明断面図）に示すように、
　靴の中敷き１ｄを構成する基材シート２の踵部に、透明な軟質エラストマー板３ｄ配置し、かつ前記透明な軟質エラストマー板３ｄを嵌設する開口部８が穿設された保護シート７を基材シート２に積層し、前記透明な軟質エラストマー板３ｄの裏面に文字、図形、模様等の目視情報４ｄを設けて構成される。
　なお、実施例４においては、保護シート７に足裏のツボを刺激するための凸状部９が多数、構成されており、軟質エラストマー板３ｄの裏面に備えられる目視情報４ｄも、前記基材シート２の凸状形状に合わせて描かれている。
【図面の簡単な説明】
【００１８】
【図１】本考案の実施例１の正面図及び断面図、
【図２】実施例１の説明断面図、
【図３】本考案の実施例２の正面図及び断面図、
【図４】実施例２の説明断面図、
【図５】本考案の実施例３の正面図及び断面図、
【図６】実施例３の説明断面図、
【図７】本考案の実施例４の正面図及び断面図、
【図８】実施例４の説明断面図、
【符号の説明】
【００１９】
　１、１ａ、１ｂ、１ｃ、１ｄ　靴の中敷き
　２　　基材シート
　３ａ、３ｂ、３ｃ、３ｄ　　　軟質エラストマー板
　４ａ、４ｂ、４ｃ、４ｄ　　　目視情報
　５　　開口部
　６　　凹部
　７　　保護シート
　８　　開口部
　９　　凸状部
【図１】
0003100166.tif 000003
【図２】
0003100166.tif 000004
【図３】
0003100166.tif 000005
【図４】
0003100166.tif 000006
【図５】
0003100166.tif 000007
【図６】
0003100166.tif 000008
【図７】
0003100166.tif 000009
【図８】
0003100166.tif 000010